(57)【特許請求の範囲】
【請求項１】
樋状のトラフを囲むように担体を分離するスクリーンを設け、該スクリーンを経て前記トラフから処理水を槽外に流出させる生物反応槽の処理水流出装置において、前記トラフの側壁には、前記処理水の流れ方向に間隔をおいて複数の流入口が形成されていると共に、該トラフの幅が前記処理水の流れ方向の上流側から下流側に行くに従い広く形成されていることを特徴とする生物反応槽の処理水流出装置。
【請求項２】
前記流入口にはそれらの開口面積を調整するスライド板を配設したことを特徴とする請求項１に記載の生物反応槽の処理水流出装置。
【請求項３】
前記流入口にはそれらの開口面積を調整する角落しを配設したことを特徴とする請求項１に記載の生物反応槽の処理水流出装置。
【請求項４】
前記流入口にはそれらの開口面積を調整する可動堰を配設したことを特徴とする請求項１に記載の生物反応槽の処理水流出装置。
【発明の詳細な説明】
【０００１】
【発明の属する技術分野】
本発明は、生物反応槽の処理水流出装置に関するもので、詳しくは、担体等の流出を防止するためのスクリーンを備えた生物反応槽の処理水流出装置に関するものである。
【０００２】
【従来の技術】
例えば、生物反応槽では、処理水流出装置として、担体を分離するスクリーンと該スクリーンを経た処理水を槽外へ排出するためのトラフを備えている。
【０００３】
このような処理水流出装置では、樋状のトラフの周囲にスクリーンを設置し、該スクリーンを介して処理水をトラフに流し込んでいる。
【０００４】
【発明が解決しようとする課題】
ところで、上記従来の生物反応槽の処理水流出装置では、トラフが樋状に形成されており、スクリーンを経た処理水は、トラフの側壁を越流堰として該側壁を乗り越えるようにして処理水をトラフに流し込んでいる。
【０００５】
また、従来の越流堰を設けた流出装置は、越流の際に発生する損失水頭が大きい。この為、水位差を大きく確保できないような既設の生物反応槽では、担体を添加した生物反応槽、例えば硝化槽に改造して適用できないという欠点がある。
【０００６】
また、多段ステップ硝化・脱窒法では、損失水頭が大きく、複数のスクリーンを設けた際、そのスクリーンの負荷（通過流量）を均一化させるということは、損失水頭を大きく取れないという条件下では特に困難である。
【０００７】
本発明はこのような事情に鑑みてなされたもので、生物反応効率を向上でき、さらには損失水頭を低下させることができるので水位差を確保できないような既存の生物反応槽にも適用できる生物反応槽の処理水流出装置を提供することを目的としている。
【０００８】
【課題を解決するための手段】
本発明に係る請求項１の生物反応槽の処理水流出装置では、樋状のトラフを囲むように担体を分離するスクリーンを設け、該スクリーンを経て前記トラフから処理水を槽外に流出させる生物反応槽の処理水流出装置において、前記トラフの側壁には、前記処理水の流れ方向に間隔をおいて複数の流入口が形成されていると共に、該トラフの幅が前記処理水の流れ方向の上流側から下流側に行くに従い広く形成されていることを特徴とする。
【０００９】
この発明によれば、処理水の流れ方向に間隔をおいて複数の流入口が形成されると共に、トラフ内の許容流量は下流側に行くに従い多くなるので、トラフの側壁全体から均一に処理水が流入することができる。これにより、生物反応槽内の水流を生物反応槽内において均等化できる。この結果、生物反応槽内で担体が偏ってしまうことを防止できるので、担体と被処理水との接触効率が良くなり、生物反応効率が向上する。またスクリーンへの通水負荷量が均一化し、目づまり防止となる。しかも、本発明の処理水流出装置は、損失水頭を低下させることができるので、水位差を大きく取れない生物反応槽の処理水流出装置として非常に有効になる。
【００１０】
本発明に係る請求項２の生物反応槽の処理水流出装置では、請求項１の発明において、前記流入口には、それらの開口面積を調整するスライド板を配設したことを特徴としている。
【００１１】
本発明に係る請求項３の生物反応槽の処理水流出装置では、請求項１の発明において、前記流入口には、それらの開口面積を調整する角落しを配設したことを特徴とする。
【００１２】
本発明に係る請求項４の生物反応槽の処理水流出装置では、請求項１の発明において、前記流入口には、それらの開口面積を調整する可動堰を配設したことを特徴とする。
【００１３】
請求項２〜４の発明によれば、各流入口の開口面積を変化させることによって、処理水の流入量をより均一にすることができる。
【００１４】
【発明の実施の形態】
以下、添付図面に従って本発明に係る生物反応槽の処理水流出装置の好ましい実施の形態について説明する。
【００１５】
図１は本発明に係る処理水流出装置を備えた生物反応槽を示した概念的な俯瞰図である。この生物反応槽１の処理水流出装置２では、トラフ３を囲むようにスクリーン壁４が設置されている。
【００１６】
トラフ３は、底壁３ａが水平に配置され、側壁３ｂ，３ｂ間の距離が下流に行くに従って広く形成されている。そして、側壁３ｂには、複数の同一な大きさの流入口５が形成されている。また、スクリーン壁４には、複数の孔４ａが形成され、それらの孔４ａには担体を分離するためのスクリーン６が張設されている。なお、符号７は散気ディスクを示しており、該散気ディスク７は生物反応槽１の底面に設置されている。
【００１７】
そして、この生物反応槽１は、連通孔８を介して無酸素槽９に連設されている。なお、符号１０は無酸素槽９の底面に設置した水中攪拌機である。
【００１８】
このように構成された生物反応槽１では、廃水が最初沈殿池から無酸素槽９に送られ、該無酸素槽９において、還元反応によって有機物質を分解して生物反応槽１に送られる。生物反応槽１に送られた廃水は、廃水中のＮＨ3 −Ｎ，ＮＯX −Ｎ等が処理される。そして、生物反応槽１で処理された水（処理水）はスクリーン６を経て、流入口５からトラフ３内に流入し、該トラフ３によって槽外、例えば最終沈殿池等へ排出される。
【００１９】
ところで、トラフ３の側壁には、処理水の流れ方向に複数の流入口５が形成され、しかもトラフ３は下流に行くに従って幅が広く形成されており、トラフ３内の許容流量は下流に行くに従い多くなる。したがってトラフ３の側壁３ｂ全長にわたる流入口５から均一に処理水が流入する。
【００２０】
なお、上記実施の形態では、流入口５の開口面積を状況に応じて調整することはできないが、例えば、図２に示すように、流入口５に対してスライドできるスライド板１１をトラフ３の側壁３ｂに設置すれば、各流入口５毎に開口面積を変えることができ、それによって状況に対応させることが可能になる。また流入口５に対して図３に示すように角落し１２、或いは図４に示すように可動堰１３をトラフ３の内側に設置すれば、各流入口５毎に、開口面積を変えることができる。
【００２１】
【実施例】
上流端の幅４００ｍｍ，下流端の幅１６００ｍｍ，長さ５９２０ｍｍ，水深３３３ｍｍの本発明のトラフ（図５）と、幅１４５０ｍｍ，長さおよび水深が同じ従来型トラフ（図６）とを使用し、流出量を同じ（Ｑ＝０．２４２ｍ3 ／ｓｅｃ）にして、損失水頭を測定したところ、以下の表１のような結果が得られた。
【００２２】
【表１】
0003815348.tif 000002
【００２３】
この結果、本発明に係るトラフの場合に、各合流部（流入口）ａ，ｂ，ｃにおいて、損失水頭が同じであった。このことは、トラフの全長にわたり、均一な流量であることが分かる。また、全損失水頭が従来のトラフに比較して明らかに低下している。
【００２４】
【発明の効果】
上記したように、本発明に係る生物反応槽の処理水流出装置によれば、生物反応効率を向上でき、さらには損失水頭を低下させることができるので水位差を確保できないような既存の生物反応槽にも適用できる生物反応槽の処理水流出装置を提供することができる。
【図面の簡単な説明】
【図１】本発明に係る生物反応槽の処理水流失装置を概念的に示した斜視図である。
【図２】図１の処理水流失装置におけるトラフの流入口にスライド板を付設した状態を示した部分斜視図である。
【図３】図１の処理水流失装置におけるトラフの流入口に角落しを付設した状態を示した部分斜視図である。
【図４】図１の処理水流失装置におけるトラフの流入口に可動堰を付設した状態を示した部分斜視図である。
【図５】本発明に係る処理水流失装置の実施例に使用したトラフの形状および寸法を示した平面図である。
【図６】比較例として、従来のトラフの形状および寸法を示した平面図である。
【符号の説明】
１…生物反応槽，２…処理水流出装置，３…トラフ，３ｂ…側壁，４…スクリーン壁，５…流入口，６…スクリーン，７…散気ディスク，１１…スライド板
【図１】
0003815348.tif 000003
【図２】
0003815348.tif 000004
【図３】
0003815348.tif 000005
【図４】
0003815348.tif 000006
【図５】
0003815348.tif 000007
【図６】
0003815348.tif 000008